(57)【要約】      （修正有）【課題】家具本体に、給電用電極に接触する受電用電極を備えている挿入部と、前記挿入部と一体をなしてこれを支持する中継部と、前記中継部とは別体をなし、電力の供給を受けて所定の機能を発揮する機能部とを有するオプション部材を取り付け可能とした家具において、中継部及び機能部を電源ケーブルを用いて接続することによる不具合を回避する。【解決手段】オプション部材たる照明器具５に、給電レール３２の開口部に挿入されるとともにその開口部内にある給電用電極に接触する受電用電極を備えている挿入部を有する中継部たる人感センサ部６と、これとは別体をなし、前記給電レール３２の長手方向に沿って人感センサ部６に隣接して所定の機能を発揮する機能部たる基台７とを具備し、相互に当接又は近接する側面に設けられ需給端子を介して、前記機能部の基台７へと人感センサ部６からに電力を供給する。【選択図】図２
2011147666.tif 000002
【特許請求の範囲】
【請求項１】
家具本体にオプション部材を取り付け可能とし、家具本体に付設した給電レールからオプション部材に電力を供給するように構成した家具であって、
前記オプション部材が、
前記給電レールの開口部に挿入されるとともにその開口部内にある給電用電極に接触する受電用電極を備えている挿入部と、
前記挿入部と一体をなしてこれを支持する中継部と、
前記中継部とは別体をなし、前記給電レールの長手方向に沿って中継部に隣接して所定の機能を発揮する機能部と、
前記中継部における前記機能部に当接又は近接する側面に設けられ、前記受電用電極を介して受電した電力を出力する給電端子と、
前記機能部における前記中継部に当接又は近接する側面に設けられ、前記給電端子から出力される電力を受けて機能部に供給する受電端子と
を具備することを特徴とする家具。
【請求項２】
前記中継部が、前記受電用電極と前記給電端子との間の通電を断接切り替え可能なスイッチング素子を備えている請求項１記載の家具。
【請求項３】
前記中継部が、ユーザの所在を検知する人感センサを備え、この人感センサがユーザの所在を検知していることを条件として前記スイッチング素子を通電状態とする請求項２記載の家具。
【請求項４】
前記給電端子及び前記受電端子はともに前記給電レールの長手方向に沿って伸長し、これらは当該方向に沿って挿抜される請求項１、２又は３記載の家具。
【請求項５】
前記中継部及び前記機能部を、前記給電レールの長手方向に沿ってスライド移動させ得る請求項１、２、３又は４記載の家具。
【請求項６】
前記家具本体に、少なくとも前記機能部を機械的に支持し、その機能部の支持位置を長手方向に沿って任意に変更可能としている支持レールを付設している請求項１、２、３、４又は５記載の家具。
【請求項７】
前記家具本体が天板を有する天板付家具であり、前記給電レールを前記天板の反使用端側に設置している請求項１、２、３、４、５又は６記載の家具。
【請求項８】
請求項１、２、３、４、５、６又は７記載の家具を構成するために用いられるものであって、
給電レールの開口部に挿入されるとともにその開口部内にある給電用電極に接触する受電用電極を備えている挿入部と、
前記挿入部と一体をなしてこれを支持する中継部と、
前記中継部とは別体をなし、前記給電レールの長手方向に沿って中継部に隣接して所定の機能を発揮する機能部と、
前記中継部における前記機能部に当接又は近接する側面に設けられ、前記受電用電極を介して受電した電力を出力する給電端子と、
前記機能部における前記中継部に当接又は近接する側面に設けられ、前記給電端子から出力される電力を受けて機能部に供給する受電端子と
を具備するオプション部材。
【発明の詳細な説明】
【技術分野】
【０００１】
本発明は、家具本体にオプション部材を取り付け可能とし、家具本体に付設した給電レールからオプション部材に電力を供給するように構成した家具に関する。
【背景技術】
【０００２】
従来より、長手方向に延伸し内側に給電用電極を備えた給電レールに給電用電極を備えた挿入部を挿入することにより、オプション部材を長手方向に沿って移動可能に取り付けることができる構造が知られている（例えば、特許文献１を参照）。挿入部には予め受電用電極が設けられていて、オプション部材を取り付けた際にこの受電用電極が給電用電極に電気的に接続される。
【０００３】
また、このような給電レールから電力の供給を受けるオプション部材として、前記給電レールの開口部に挿入されるとともにその開口部内にある給電用電極に接触する受電用電極を備えている挿入部と、前記挿入部と一体をなしてこれを支持する中継部と、前記中継部とは別体をなし、電力の供給を受けて所定の機能を発揮する機能部とを有する態様が考えられている。このような態様を採用すると、中継部に人感センサやＩＣカード読取器等を備えさせつつ、機能部として照明器具や扇風機等の種々の機能を有する電気器具を設けるようにする等、中継部及び機能部を交換することにより種々の機能を備えるオプション部材を実現させることができる。
【０００４】
このような態様において、中継部から機能部に電力を供給するには、これら中継部と機能部とを電源ケーブルにより電気的に接続することが考えられる。しかし、このように電源ケーブルを利用して中継部と機能部とを電気的に接続する態様では、電源ケーブルにより美観が損なわれる不具合や、電源ケーブルに手等を掛けた際に挿入部が給電レールから離脱してしまう不具合等が発生しうる。
【先行技術文献】
【特許文献】
【０００５】
【特許文献１】特開２００８−３０５７３７号公報
【発明の概要】
【発明が解決しようとする課題】
【０００６】
本発明は、給電用電極に接触する受電用電極を備えている挿入部と、前記挿入部と一体をなしてこれを支持する中継部と、前記中継部とは別体をなし、電力の供給を受けて所定の機能を発揮する機能部とを有するオプション部材を用いる際に、中継部及び機能部を電源ケーブルを用いて接続することによる不具合を回避することを目的とする。
【課題を解決するための手段】
【０００７】
すなわち本発明に係る家具は、家具本体にオプション部材を取り付け可能とし、家具本体に付設した給電レールからオプション部材に電力を供給するように構成した家具であって、前記オプション部材が、前記給電レールの開口部に挿入されるとともにその開口部内にある給電用電極に接触する受電用電極を備えている挿入部と、前記挿入部と一体をなしてこれを支持する中継部と、前記中継部とは別体をなし、前記給電レールの長手方向に沿って中継部に隣接して所定の機能を発揮する機能部と、前記中継部における前記機能部に当接又は近接する側面に設けられ、前記受電用電極を介して受電した電力を出力する給電端子と、前記機能部における前記中継部に当接又は近接する側面に設けられ、前記給電端子から出力される電力を受けて機能部に供給する受電端子とを具備することを特徴とする。
【０００８】
本発明では、中継部における機能部に当接又は近接する側面に設けられた給電端子と、機能部における中継部に当接又は近接する側面に設けられた受電端子とを直接接続することにより、機能部に電力を供給するようにしている。従って、中継部と機能部との間の配線を露出させることなく電気的に接続し、外観を整えることができる。また、中継部及び機能部のうち一方を交換することにより、オプション部材に種々の機能を備えさせることができる。
【０００９】
前記中継部が、前記受電用電極と前記給電端子との間の通電を断接切り替え可能なスイッチング素子を備えているものであれば、ユーザの所在を検知している、或いはユーザの非所在を検知している等の所定条件を満たした場合に前記受電用電極と前記給電端子との間の通電の断接を切り替えるスイッチとしての機能を中継部に備えさせることができる。
【００１０】
前記中継部が、ユーザの所在を検知する人感センサを備え、この人感センサがユーザの所在を検知していることを条件として前記スイッチング素子を通電状態とするものであれば、ユーザが離席した際等に、機能部への通電を自動的に遮断できるので、電力消費の節減を図ることができる。
【００１１】
前記給電端子及び前記受電端子はともに前記給電レールの長手方向に沿って伸長し、これらは当該方向に沿って挿抜されるものであれば、給電端子と受電端子とを接続した際にこれら給電端子と受電端子とが外部から隠蔽される。従って、より完全に中継部と機能部との間の配線を隠蔽できる。
【００１２】
前記中継部及び前記機能部を、前記給電レールの長手方向に沿ってスライド移動させ得るものであれば、予め機能部を所望の位置に配し、しかる後に中継部を機能部に隣接させて配し、中継部をスライドさせて給電端子と受電端子と接続させる手順の取付操作が可能になるので、オプション部材の取り付けの際の作業性の向上を図ることができる。
【００１３】
前記家具本体に、少なくとも前記機能部を機械的に支持し、その機能部の支持位置を長手方向に沿って任意に変更可能としている支持レールを付設しているものであれば、給電レールとは別の支持レールに少なくとも機能部を機械的に支持させることにより、オプション部材をより安定して保持させることができる。
【００１４】
前記家具本体が天板を有する天板付家具であり、前記オプション取付装置を前記天板の反使用端側に設置しているものであれば、天板付家具の反使用端側に種々のオプション部材を取り付け可能となる。
【発明の効果】
【００１５】
本発明によれば、中継部と機能部との間の配線を露出させることなく電気的に接続できるので、オプション部材をオプション取付装置に取り付けた際の外観を整えることができる。また、中継部及び機能部のうち一方を交換することにより、オプション部材に種々の機能を備えさせることができる。
【図面の簡単な説明】
【００１６】
【図１】本発明の一実施形態に係る家具を示す斜視図。
【図２】同実施形態に係る照明装置の取付態様を示す斜視図。
【図３】同実施形態に係る照明装置の取付態様を示す分解斜視図。
【図４】同実施形態に係るオプション取付装置の取付態様を示す横断面図。
【図５】同実施形態に係るオプション取付装置への人感センサ部の取付部位を示す横断面図。
【図６】同実施形態に係るオプション取付装置への基台の取付部位を示す横断面図。
【図７】同実施形態に係る照明装置の人感センサ部の挿入部を示す平面図。
【図８】同実施形態に係るタスクライトを示す分解斜視図。
【発明を実施するための形態】
【００１７】
以下、本発明の一実施形態を、図１〜図８を参照して説明する。
【００１８】
本実施形態は、図１に示すように、天板１１を有する家具本体たる天板付家具１に、オプション取付装置３を介してオプション部材たる照明装置５を取り付け可能に構成した家具である。
【００１９】
天板付家具１は、図１に示すように、天板１１と、この天板１１を支持する脚構造体１２とを有する。本実施形態では、前後に対をなす天板１１の反使用端縁同士を対向させた状態で配しており、天板１１間に配線挿通空間を形成している。この配線挿通空間の左右両端近傍からは、支柱１３を上方に起立させて設けている。支柱１３は、デスクトップパネル１４や、支柱１３の上端部同士を連結する笠木１５等を支持する。
【００２０】
オプション取付装置３は、クランプ３５を介して天板１１の反使用端縁に固定してある。このオプション取付装置は、このオプション取付装置は、図２及び図３に示すように、支持レール３１と、給電レール３２とを具備する。
【００２１】
支持レール３１は、照明装置５を機械的に支持するためのものであって、等断面形状をなしつつ巾方向に伸長している。この支持レール３１は、上下方向に離間して対向した頂板３１１及び底板３１２と、頂板３１１及び底板３１２の後部同士を連結する背板３１３とを有しており、前方に開口する概略チャネル状をなす。
【００２２】
頂板３１１の下面には、図５及び図６に示すように、下方に突出した突条３１１ａを設けている。頂板３１１の前端縁部は、下方に屈曲させて係止爪３１１ｂとしている。
【００２３】
底板３１２の上面には、図５及び図６に示すように、上方に突出した突条３１２ａを設けている。この突条３１２ａは、頂板３１１に設けた突条３１１ａと上下に対向している。また、底板３１２の前縁３１２ｂは、頂板３１１の前端縁部の係止爪３１１ｂよりも後方に退避している。
【００２４】
背板３１３は、図５及び図６に示すように、上下方向の中間部が後方に屈曲して凹んでいる。
【００２５】
給電レール３２は、図５及び図６に示すように、外部から直流電力の供給を受け、照明装置に給電するための給電用電極３３ａ、３３ｂを備えている。この給電レール３２も、等断面形状をなしつつ巾方向に伸長している。また、給電レール３２は、側断面視概略Ｓ字状をなしていて、この上半部又は下半部（図示例では、下半部）に前記タスクライト４の後述する挿入部４１３を挿入させるための開口部３２ａを有している。開口部３２ａの内周面、詳述すると上壁面及び下壁面の一方には、正極となる給電用電極３３ａ、他方には、負極となる給電用電極３３ｂをそれぞれ設けている。さらに具体的には、開口部３２ａ内に、上壁部及び下壁部を有するとともに、上壁面及び下壁面の一方に正極となる給電用電極３３ａ、他方に負極となる給電用電極３３ｂを形成してなる電極部材３３を挿入している。正極となる給電用電極３３ａの奥行き方向位置と、負極となる給電用電極３３ｂの奥行き方向位置とは異ならせている。また、電極部材３３のその他の部位は絶縁体、例えば樹脂により形成している。給電レール３２の開口部３２ａ及び給電用電極３３ａ、３３ｂは、巾方向に連続的に延伸している。また、給電レール３２の上面及び下面の前部には、支持レール３１の頂板３１１及び底板３１２に設けた突条３１１ａ、３１２ａに衝き当ててこの給電レール３２の位置決めを行うための前突条３２ｂを設けている。また、給電レール３２の上面及び下面の後部には、支持レール３１の背板３１３に衝き当ててこの給電レール３２の位置決めを行うための後突条３２ｃを設けている。
【００２６】
また、本実施形態では、図４に示すように、給電レール３２の上半部に上開口部３２ｘを設けていて、この上開口部３２ｘに外部の蓄電池等の直流電源に接続してなるプラグ３４を挿入している。このプラグ３４は、給電用電極３４ａ、３４ｂを備えている。そして、この給電用電極３４ａ、３４ｂを上開口部３２ｘ内に設けた受電用電極３３ｘ、３３ｙに接続している。上開口部３２ｘ内に設けた受電用電極３３ｘ、３３ｙは、第二のオプション取付装置３の端部のキャップに設けた図示しない導電体により、給電レール３２の下半部に設けた開口部３２ａ内の給電用電極３３ａ、３３ｂにそれぞれ接続している。なお、図５および図６では、プラグ３４を省略して示している。
【００２７】
照明装置５は、図１、図２及び図３に示すように、給電レール３２から電力の供給を受けるための受電用電極６３ａ、６３ｂを備えている挿入部６３と、前記挿入部６３と一体をなしてこれを支持する中継部たる人感センサ部６と、人感センサ部６とは別体をなし、給電レール３２の長手方向に沿って人感センサ部６に隣接して所定の機能を発揮する機能部と、人感センサ部６における機能部に当接する側面に設けられ、前記受電用電極を介して受電した電力を出力する給電端子たる給電ソケット６２と、機能部における人感センサ部６に当接する側面に設けられ、給電ソケット６２から出力される電力を受けて機能部に供給する受電端子たる受電プラグ７３とを具備する。
【００２８】
機能部は、支持レール３１に支持させてなるとともに人感センサ部６に対して着脱自在であり人感センサ部６を経由して電力の供給を受ける基台７と、この基台７から起立して設けたアーム８と、このアーム８の上端に支持させてなる取付レール部９と、この取付レール部９に取り付けてなるタスクライト４とを有する。
【００２９】
人感センサ部６は、図２、図３、図５及び図７に示すように、ユーザの所在を検知する人感センサ６１と、この人感センサ６１がユーザの所在を検知していることを条件として前記照明部に通電するスイッチング素子６０とを備えた概略直方体状の部材である。そして、この人感センサ部６の後上端に支持レール３１の頂板３１１の係止爪３１１ｂに係り合うことが可能な上支持凹部６４を設けてなるとともに、この人感センサ部６の後下端に支持レール３１の底板３１２と給電レール３２との間の隙間に挿入させてなる下支持突条６５を設けてなる。上支持凹部６４の前方の部位には、弾性変形によりこの上支持凹部６４が下方に退避できるようにすべく薄肉部を設けている。ここで、スイッチング素子６０としては、トランジスタ等の半導体スイッチや、リレー等が用いられる。また、この人感センサ部６には、背面から後方に延伸させて設けられ給電レール３２の給電用電極３３ａ、３３ｂにそれぞれ接続可能な一対の受電用電極６３ａ、６３ｂを有する挿入部６３を設けている。
【００３０】
人感センサ部６の挿入部６３は、図７に示すように、給電レール３２の給電用電極３３ａ、３３ｂにそれぞれ接続可能な一対の受電用電極６３ａ、６３ｂを設けている。ここで、正極となる受電用電極６３ａの奥行き方向位置と負極となる受電用電極６３ｂの奥行き方向位置とは異ならせている。すなわち、正極となる受電用電極６３ａは正極となる給電用電極３３ａにのみ、また、負極となる受電用電極６３ｂは負極となる給電用電極３３ｂにのみ接続可能にしている。そして、これら一対の受電用電極６３ａ、６３ｂを、給電ソケット６２の両電極にそれぞれ電気的に接続している。加えて、この挿入部６３にも、給電レール３２に設けた凹部３２ｄに係り合うことが可能な係止爪６３ｃを設けている。この係止爪６３ｃも、給電レール３２に衝き当たった状態で、挿入部６３の前後動に伴い弾性変形して退避することが可能である。
【００３１】
給電ソケット６２は、図７に示すように、人感センサ部６の基台７に対向して当接する面に設けられ、挿入部６３が給電用電極３３ａ、３３ｂを介して受電した電力を出力する。
【００３２】
受電プラグ７３は、基台７の人感センサ部６に対向して当接する面から突出した状態で設けられ、人感センサ部６の給電ソケット６２に直接挿入することにより電気的に接続可能である。この受電プラグ７３は、基台７を支持レール３１に支持させた状態で、支持レール３１及び給電レール３２の長手方向に沿って伸長している。
【００３３】
基台７は、図２、図３及び図６に示すように、後上端に支持レール３１の頂板３１１の突条３１１ｂに係り合うことが可能な上支持突条７１を設けてなるとともに、後下端に支持レール３１の底板３１２と給電レール３２との間の隙間に挿入させてなる下支持突条７２を設けてなる略直方体状の部材である。また、この基台７の上面には、前記アーム８を回転可能に支持するためのアーム支持部７４を設けている。
【００３４】
アーム８は、図２、図３及び図６に示すように、基端部を基台７のアーム支持部７４に支持させてなる。また、このアーム８は、傾斜を有して上方に延伸している。そして、アーム８の上端部に取付レール部９を支持させている。
【００３５】
取付レール部９は、上述した第一のオプション取付装置２及び第二のオプション取付装置３とほぼ同様の構成を有する。すなわち、図示はしないが、この取付レール部９は、上述したオプション取付装置３の支持レール３１と同様の構成を有する補助支持レールと、上述したオプション取付装置３の給電レール３２と同様の構成を有する補助給電レールとを具備する。ここで、この補助給電レールは、タスクライト４の電極支持板４１３を挿入させるための開口部を有している。この開口部内には、上述した給電レール３２内に設けた電極部材３３と同様の構成を有する電極部材を設けていて、この電極部材の上壁面及び下壁面の一方には、正極となる給電用電極、他方には、負極となる給電用電極をそれぞれ設けている。これら一対の給電用電極は、受電プラグ及び給電ソケット６２を介して人感センサ部６の挿入部６３の受電用電極６３ａ、６３ｂに電気的に接続している。
【００３６】
タスクライト４は、図８に示すように、光源部４１と、光源部４１の上方かつ天板１１の使用端縁に向かう側に配してなる笠４２と、光源部４１を移動させるための操作力を受け付ける操作つまみ４３とを具備する。
【００３７】
光源部４１は、複数個のＬＥＤ素子を透明なケースの内部に収納してなる光源保持枠４１１と、この光源保持枠４１１の下方に離間して設けてなり笠４２の後述する位置決め材４２３の後方に配置可能な位置決め板４１２と、光源保持枠４１１から後方に延伸してなる板状の電極支持板４１３とを有する。
【００３８】
電極支持板４１３には、図８に示すように、光源部４１のＬＥＤ素子の正極及び負極にそれぞれ電気的に接続した一対の受電用電極４１３ａ、４１３ｂを設けている。ここで、正極となる受電用電極４１３ａの奥行き方向位置と負極となる受電用電極４１３ｂの奥行き方向位置とは異ならせている。すなわち、正極となる受電用電極４１３ｂは正極となる給電用電極２３ａにのみ、また、負極となる受電用電極４１３ｂは負極となる給電用電極２３ｂにのみ接続可能にしている。
【００３９】
笠４２は、光源保持枠４１１の上方に配してなる笠本体４２１と、この笠本体４２１の左右両端から垂下して設けた笠側板４２２と、この笠側板４２２の後下端部同士を接続する位置決め材４２３とを有する。笠本体４２１の後端には、取付レール部９の補助支持レール９１の頂板に設けた係止爪に係り合うことが可能な係合凹部４２ａを設けている。また、この係合凹部４２ａの前方には、弾性変形により係合凹部４２ａを下方に退避可能にすべく薄肉部４２ｂを設けている。ここで、係合凹部４２ａと補助支持レールの係止爪とを係り合わせ、位置決め材４２３を補助支持レール９１の底板と補助給電レールとの間の隙間に挿入させることにより、これらが協働して、受電用電極４１３ａ、４１３ｂが給電用電極に接触しているか接触していないかを問わずこのタスクライト４を機械的に支持してその脱落を抑止する係止部として機能する。
【００４０】
操作つまみ４３は、光源部４１の下面に接する取付板４３ａと、この取付板４３ａの前端から垂下して設けたつまみ本体４３ｂとを有する。さらに、この操作つまみ４３の両側端には、笠４２の笠側板４２２に設けた長孔４２ｄに係り合うことが可能なピン４３ｄを備えたつまみ支持板４３ｃを一体に設けている。タスクライト４を取付レール部９に取り付けた状態でつまみ本体４３ｂが操作力を受けると、図示はしないが、光源部４１及び操作つまみ４３が、前記受電用電極４１３ａ、４１３ｂを取付レール部９の給電用電極に電気的に接続させる接続位置と、受電用電極４１３ａ、４１３ｂを取付レール部９の給電用電極から電気的に遮断する遮断位置との間で変位する。
【００４１】
このような照明装置５を利用して天板面上を照明する際には、以下の手順により照明装置５をオプション取付装置３に装着する。
【００４２】
まず、前記基台７を、オプション取付装置３の支持レール３１の所望の位置に支持させる。
【００４３】
次いで、人感センサ部６の給電ソケット６２を基台７の受電プラグ７３に対向させた姿勢で、人感センサ部６を支持レール３１に支持させる。
【００４４】
そして、人感センサ部６を支持レール３１及び給電レール３２の長手方向に沿ってスライドさせることにより基台７に接近させ、受電プラグ７３を給電ソケット６２に直接挿入する。
【００４５】
なお、本実施形態では、天板付家具１の支柱１３間にもオプション取付装置２を設けている。そして、本実施形態のタスクライト４は、取付レール部９から取り外して天板付家具１の支柱１３間のオプション取付装置２に取り付け可能である。
【００４６】
本実施形態では、人感センサ部６に設けた給電ソケット６２と基台７に設けた受電プラグ７３とを接続することにより、給電レール３２から人感センサ部６を経てタスクライト４に電力を供給するようにしているので、人感センサ部６と基台７との間の配線を露出させることなくこれら人感センサ部６と基台７とを電気的に接続し、外観を整えることができる。
【００４７】
さらに、人感センサ部６が、ユーザの所在を検知する人感センサ６１と、この人感センサ６１がユーザの所在を検知していることを条件として照明部に通電するスイッチング回路とを備えているので、ユーザが離席した際等に、タスクライト４への通電を自動的に遮断できる。従って、電力消費の節減を図ることができる。
【００４８】
また、前記オプション取付装置３が、少なくとも基台７を機械的に支持するとともに基台７の位置を長手方向に沿って任意に変更可能な支持レール３１を具備するので、給電レール３２とは別の支持レール３１に基台７を機械的に支持させることにより、この基台７を含む照明装置５をより安定して保持させることができる。
【００４９】
そして、前記人感センサ部６及び基台７が、ともに支持レール３１に支持されるとともに支持レール３１に沿ってスライド可能であるので、上述したような取付操作、すなわち、予め基台７、アーム８、取付レール及びタスクライト４を併せたものを支持レール３１の所望の位置に取り付け、しかる後に人感センサ部６をオプション取付装置３に取り付け、人感センサ部６をスライドさせて基台７に電気的に接続させるという取付操作が可能になる。従って、このような照明装置５の取り付けを容易に行うことができる。
【００５０】
なお、本発明は以上に述べた実施形態に限らない。
【００５１】
例えば、オプション本体の第１の部材として、人感センサを備える人感部に替え、例えば光センサを備える受光部や、ＩＣカードに内蔵したＩＤ等を読み取るＩＣカードリーダを備えるＩＤ読取部等、他の機能を有する部材を設けてもよい。
【００５２】
一方、オプション本体の第２の部材として上述した実施形態に係る照明部以外のもの、例えば扇風機、カップウォーマ、充電器等を設けてもよい。
【００５３】
その他、本発明の趣旨を損ねない範囲で、種々に変更してよい。
【符号の説明】
【００５４】
１…天板付家具（家具本体）
３…オプション取付装置
３２…給電レール
３３ａ、３３ｂ…給電用電極
５…照明装置（オプション部材）
６…人感センサ部（中継部）
６２…給電ソケット（給電端子）
６３…挿入部
６３ａ、６３ｂ…受電用電極
４…タスクライト（機能部）
７…基台（機能部）
７３…受電プラグ（受電端子）
８…アーム（機能部）
９…取付レール部（機能部）
【図１】
2011147666.tif 000003
【図２】
2011147666.tif 000004
【図３】
2011147666.tif 000005
【図４】
2011147666.tif 000006
【図５】
2011147666.tif 000007
【図６】
2011147666.tif 000008
【図７】
2011147666.tif 000009
【図８】
2011147666.tif 000010